(57)【要約】【課題】  ナットなどの部材が硬度の高い樹脂材あるいは弾性部材である場合や、金属である場合にも、ねじ込むネジのネジ部によってネジ無し孔にネジ溝を容易に形成することができ、ねじ込んだネジは容易に緩むことのないネジ孔構造およびそのネジ孔構造を有するナットを提供する。【解決手段】  ねじ込むネジ１のネジ部１ａより軟らかい硬度の部材Ｍに形成されるものとし、内壁Ｗに前記ネジ１のネジ部１ａによって断続的なネジ溝Ｓが形成されるようにしたネジ無し孔２とした。【選択図】    図１
2006316977.tif 000002
【特許請求の範囲】
【請求項１】
ねじ込むネジ（１）のネジ部（１ａ）より軟らかい硬度の部材（Ｍ）に形成されるものとし、内壁（Ｗ）に前記ネジ（１）のネジ部（１ａ）によって断続的なネジ溝（Ｓ）が形成されるようにしたネジ無し孔（２）としたことを特徴とするネジ孔構造。
【請求項２】
前記ネジ無し孔（２）の平面形状が、正多角形であることを特徴とする請求項１記載のネジ孔構造。
【請求項３】
前記ネジ無し孔（２）の平面形状が、楕円または長円であることを特徴とする請求項１記載のネジ孔構造。
【請求項４】
前記ネジ無し孔（２）の平面形状が、正多角形の各辺の中央部に同一形状の突出部（３）を形成したものであることを特徴とする請求項２記載のネジ孔構造。
【請求項５】
前記ネジ無し孔（２）の平面形状が、円形に等間隔をおいて同一形状の突出部（３）を形成したものであることを特徴とする請求項１記載のネジ孔構造。
【請求項６】
前記突出部（３）が円弧形状であることを特徴とする請求項４または５記載のネジ孔構造。
【請求項７】
前記突出部（３）が角形状であることを特徴とする請求項４または５記載のネジ孔構造。
【請求項８】
前記請求項１〜７記載のネジ孔構造を有することを特徴とするナット。
【発明の詳細な説明】
【技術分野】
【０００１】
この発明は、家電製品や事務機器の筐体、住宅サッシなどの建材等に形成されるネジ孔構造、およびこれら家電製品や事務機器、住宅サッシなどに使用されるナットに関するものである。
【背景技術】
【０００２】
従来、ネジ孔構造を有するナットとして、例えば図２９、３０に示したように、外周面に工具係合部１１を設けたナット部１２を樹脂材により成形し、前記ナット部１２の中心に螺入されるネジのネジ山の外径をより小さく、谷径より大きい内径のネジ無し孔１３を形成したものが存在する（特許文献１）。
【０００３】
この従来のネジ孔構造を有するナットによれば、樹脂材のネジ無し孔１３がネジ外径より小さいので、締付け時にネジあるいはボルトによってこのネジ無し孔１３にネジ溝が形成され、樹脂材の弾性によりネジの外面から弾発力を受けてネジの緩みを防止することができるという効果を有する。また、樹脂製のナットであるので、これで組み立てられたワークの軽量化が可能となり、組付けの作業性が良くコストが低減できると共に、レンズ、樹脂板、外装材などの損傷も防止できるという効果を有する。
【０００４】
さらに、ネジ孔構造を有するナットとして、例えば図３１、３２に示したように、ネジを挿通させるための挿通孔２１を有して環状をなす弾性部材からなる本体２２と、この本体２２の外周面に沿って設けられる金属製の補強環２３を備え、挿通孔２１の内面はネジ山を設けない面からなり、ネジが挿通されるときに挿通孔２１の内面が弾性変形してネジのネジ山に係合するネジ溝を形成し、補強環２３は少なくとも一対の相対向する平坦な工具係合部２４を有するものが存在する（特許文献２）。
【０００５】
この従来のネジ孔構造を有するナットによれば、本体２２の挿通孔２１にネジを挿通しても、金属製の補強環２３が本体２２の径方向外方に膨らんでしまうことがない。このため、相対向する工具係合部２４間の二面幅が常に一定となり、工具を確実に工具係合部２４に係合させてナットを回すことが可能である。また、工具が空回りしたりしないので、工具係合部２４を傷つけてしまう虞れがないという効果を有する。
【特許文献１】特開平８−４９７１６号公報（図１、２）
【特許文献２】特開２００４−１００７６８号公報（図１、３）
【発明の開示】
【発明が解決しようとする課題】
【０００６】
しかしながら、上記従来のネジ孔構造を有するナットは、ネジを締め付けるときに、そのネジのネジ部によってネジ無し孔１３および挿通孔２１にネジ溝を形成するが、このときネジのネジ部と、ネジ無し孔１３および挿通孔２１とは全周面どうしが接触するようになっているので、両者の接触摩擦力が小さい場合、すなわち樹脂材あるいは弾性部材の硬度が低い場合に適用できるものであり、樹脂材あるいは弾性部材の硬度が高いときには、ネジのネジ部との摩擦力が強くなって、ネジを締め付けるのに多大な力を要し、ネジ溝を形成するのが困難であるという問題点を有していた。
【０００７】
さらに、上記従来のネジ孔構造を有するナットは、ナット本体が樹脂材あるいは弾性部材である場合には、前記したようにネジのネジ部によってネジ無し孔１３および挿通孔２１にネジ溝を形成することが可能であるが、ナット本体が金属である場合には、摩擦力がより強くなって、ネジを締め付けることができず、ネジ溝を形成することができないという問題点を有していた。
【０００８】
そこで、この発明は、上記従来の問題点を解決するものであり、ナットなどの部材が硬度の高い樹脂材あるいは弾性部材である場合や、金属である場合にも、ねじ込むネジのネジ部によってネジ無し孔にネジ溝を容易に形成することができ、ねじ込んだネジは容易に緩むことのないネジ孔構造およびそのネジ孔構造を有するナットを提供することを目的としてなされたものである。
【課題を解決するための手段】
【０００９】
そのため、この発明のネジ孔構造は、ねじ込むネジ１のネジ部１ａより軟らかい硬度の部材Ｍに形成されるものとし、内壁Ｗに前記ネジ１のネジ部１ａによって断続的なネジ溝Ｓが形成されるようにしたネジ無し孔２としたものとしている。
【００１０】
さらに、前記ネジ無し孔２の平面形状は、正多角形としたものとしている。
【００１１】
また、前記ネジ無し孔２の平面形状は、楕円または長円としたものとしている。
【００１２】
さらに、前記ネジ無し孔２の平面形状は、正多角形の各辺の中央部に同一形状の突出部３を形成したものとしている。
【００１３】
また、前記ネジ無し孔２の平面形状は、円形に等間隔をおいて同一形状の突出部３を形成したものとしている。
【００１４】
さらに、前記突出部３は、円弧形状としたり、角形状としたものとしている。
【００１５】
そして、この発明のナットは、前記この発明のネジ孔構造を有するものとしている。
【発明の効果】
【００１６】
この発明は、以上に述べたように構成されているので、ナットなどの部材が硬度の高い樹脂材あるいは弾性部材である場合や、金属である場合にも、ねじ込むネジのネジ部によってネジ無し孔にネジ溝を容易に形成することができ、ねじ込んだネジは容易に緩むことのないものとなる。
【発明を実施するための最良の形態】
【００１７】
以下、この発明のネジ孔構造およびそのネジ孔構造を有するナットを実施するための最良の形態を、図面に基づいて詳細に説明する。
【００１８】
この発明のネジ孔構造は、ねじ込むネジ１のネジ部１ａより軟らかい硬度の合成樹脂や金属などからなる板状の部材Ｍに形成されるものとし、内壁Ｗに前記ネジ１のネジ部１ａによって断続的なネジ溝Ｓが形成されるようにしたネジ無し孔２としたものとしている。すなわち、この発明のネジ孔構造は、図１に示したように、ねじ込むネジ１のネジ部１ａより軟らかい硬度の合成樹脂や金属などからなる板状の部材Ｍに形成されるものとし、前記ネジ１の先端の食い込み部１ｂの径Ｒ1 より大きく、前記ネジ１のネジ部１ａの山径Ｒ2 より小さい内接円Ｃを有し、内壁Ｗに前記ネジ１のネジ部１ａによって断続的なネジ溝Ｓが形成されるようにしたネジ無し孔２としたものとしている。
【００１９】
この発明のナットは、図２に示したように、六角ナットとしており、前記ネジ孔構造を有するものとしている。なお、この発明のナットは、前記六角ナットに限らず、四角ナット、袋ナット、蝶ナット、タカナット、ロ−レットナットなどとすることができる。
【００２０】
前記ネジ１は、鉄、真鍮、ステンレスなどの金属や、アクリル、ポリカーボネートなどの硬質樹脂からなるものとすることができ、部材Ｍはこれらのネジ１より軟らかい硬度の金属または樹脂からなるものとしている。また、前記ネジ１と部材Ｍが同一の金属からなるものとしても、ネジ１を焼入れすることによりネジ１の硬度を硬くし、このネジ１より部材Ｍの硬度を軟らかくすることができる。なお、前記ネジ１のネジ部１ａは、通常のものとしてもよいが、戻り止め構造を有したものとすることができる。前記ネジ１のネジ部１ａに戻り止め構造を有したものとするには、例えば図３、４に示したように、ネジ部１ａに直交するような戻り溝Ｂを形成したものとすればよい。このようなネジ１であれば、後に述べるように、この発明のネジ孔構造およびナットにねじ込んだ場合に、より容易に緩むことのないものとなる。
【００２１】
前記ネジ無し孔２の平面形状は、図５〜７に示したように、正三角形、正方形、正六角形などの正多角形としたり、図８に示したように、楕円形としたり、図示していないが長円形とすることができる。なお、前記ネジ無し孔２の平面形状を正多角形とした場合には、図９に示したように、その正多角形の各々の角に丸みをつけたり、図１０に示したように、その正多角形の各々の辺を凹状円弧にしたものとすることができる。
【００２２】
また、前記ネジ無し孔２の平面形状は、図１１〜１３に示したように、正多角形の各辺の中央部に同一形状の突出部３を形成したものとすることができる。この突出部３は、図示したものでは、円弧形状としているが、角形状としてもよい。
【００２３】
さらに、前記ネジ無し孔２の平面形状は、図１４〜１６に示したように、円形に等間隔をおいて同一形状の突出部３を形成したものとすることができる。この突出部３は、図示したものでは、角形状としているが、円弧形状としてもよい。
【００２４】
この発明のネジ孔構造およびナットは、以上のように構成されているので、ネジ無し孔２にネジ１のネジ部１ａをねじ込んでいくと、ネジ部１ａがネジ無し孔２の全周面ではなく、図１７〜２８に示したように、ネジ無し孔２に接触する部分のみに、そのネジ部１ａによって断続的にネジ溝Ｓが形成されることになる。したがって、ネジ部１ａによってネジ無し孔２の全周面にネジ溝を形成する場合と比べれば、ネジ１のネジ部１ａとネジ無し孔２との摩擦力が小さくなり、ネジを締め付けるのに多大な力を要することなく、ネジ溝Ｓを形成するのが容易なものとなる。
【００２５】
前記ネジ無し孔２の平面形状を、図５〜７に示したように、正多角形とした場合には、正三角形にすると、ネジ部１ａがネジ無し孔２に接触する部分が、図１７に示したように三個所となり、ネジ部１ａとネジ無し孔３との摩擦力が小さくなる。
【００２６】
さらに、前記ネジ無し孔２の平面形状を、図８に示したように、楕円形としたり、図示していないが長円形とした場合には、ネジ部１ａがネジ無し孔２に接触する部分が、図２０に示したように二個所となり、前記正三角形とした場合よりも、ネジ部１ａとネジ無し孔２との摩擦力が小さくなる。
【００２７】
また、前記ネジ無し孔２の平面形状を、図１０に示したように、正多角形の各々の辺を凹状円弧にすると、ネジ部１ａがネジ無し孔２に接触する部分が、正三角形の場合には、図２２に示したように三個所となり、しかもその接触する部分が前記正三角形と比べて少なくなるので、前記正三角形とした場合よりも、ネジ部１ａとネジ無し孔２との摩擦力が小さくなる。
【００２８】
また、この発明のネジ孔構造およびナットは、前記ネジ溝Ｓの形成と同時に、ネジ１のネジ部１ａをネジ無し孔２にねじ込んでいるので、ねじ込んだネジ１は容易に緩むこともない。
【図面の簡単な説明】
【００２９】
【図１】この発明のネジ孔構造の一実施形態を示す説明図である。
【図２】この発明のネジ孔構造を有するナットの一実施形態を示す説明図である。
【図３】この発明のネジ孔構造およびそのネジ孔構造を有するナットにねじ込むネジを示す斜視図である。
【図４】図３に示すネジのネジ部の横断面図である。
【図５】この発明のネジ孔構造およびそのネジ孔構造を有するナットのそれぞれのネジ無し孔の一例を示す平面図である。
【図６】この発明のネジ孔構造およびそのネジ孔構造を有するナットのそれぞれのネジ無し孔の他の例を示す平面図である。
【図７】この発明のネジ孔構造およびそのネジ孔構造を有するナットのそれぞれのネジ無し孔のさらに他の例を示す平面図である。
【図８】この発明のネジ孔構造およびそのネジ孔構造を有するナットのそれぞれのネジ無し孔のさらに他の例を示す平面図である。
【図９】この発明のネジ孔構造およびそのネジ孔構造を有するナットのそれぞれのネジ無し孔のさらに他の例を示す平面図である。
【図１０】この発明のネジ孔構造およびそのネジ孔構造を有するナットのそれぞれのネジ無し孔のさらに他の例を示す平面図である。
【図１１】この発明のネジ孔構造およびそのネジ孔構造を有するナットのそれぞれのネジ無し孔のさらに他の例を示す平面図である。
【図１２】この発明のネジ孔構造およびそのネジ孔構造を有するナットのそれぞれのネジ無し孔のさらに他の例を示す平面図である。
【図１３】この発明のネジ孔構造およびそのネジ孔構造を有するナットのそれぞれのネジ無し孔のさらに他の例を示す平面図である。
【図１４】この発明のネジ孔構造およびそのネジ孔構造を有するナットのそれぞれのネジ無し孔のさらに他の例を示す平面図である。
【図１５】この発明のネジ孔構造およびそのネジ孔構造を有するナットのそれぞれのネジ無し孔のさらに他の例を示す平面図である。
【図１６】この発明のネジ孔構造およびそのネジ孔構造を有するナットのそれぞれのネジ無し孔のさらに他の例を示す平面図である。
【図１７】図５に示すネジ無し孔にネジをねじ込んだ状態を示す断面図である。
【図１８】図６に示すネジ無し孔にネジをねじ込んだ状態を示す断面図である。
【図１９】図７に示すネジ無し孔にネジをねじ込んだ状態を示す断面図である。
【図２０】図８に示すネジ無し孔にネジをねじ込んだ状態を示す断面図である。
【図２１】図９に示すネジ無し孔にネジをねじ込んだ状態を示す断面図である。
【図２２】図１０に示すネジ無し孔にネジをねじ込んだ状態を示す断面図である。
【図２３】図１１に示すネジ無し孔にネジをねじ込んだ状態を示す断面図である。
【図２４】図１２に示すネジ無し孔にネジをねじ込んだ状態を示す断面図である。
【図２５】図１３に示すネジ無し孔にネジをねじ込んだ状態を示す断面図である。
【図２６】図１４に示すネジ無し孔にネジをねじ込んだ状態を示す断面図である。
【図２７】図１５に示すネジ無し孔にネジをねじ込んだ状態を示す断面図である。
【図２８】図１６に示すネジ無し孔にネジをねじ込んだ状態を示す断面図である。
【図２９】従来のネジ構造を有するナットの一例を示す一部断面正面図である。
【図３０】図２９に示すナットの底面図である。
【図３１】従来のネジ構造を有するナットの他の例を示す一部断面正面図である。
【図３２】図３１に示すナットの底面図である。
【符号の説明】
【００３０】
１  ネジ
１ａ  ネジ部
１ｂ  食い込み部
２  ネジ無し孔
３  突出部
Ｃ  内接円
Ｍ  部材
Ｒ1 食い込み部の径
Ｒ2 ネジ部の山径
Ｓ  ネジ溝
【図１】
2006316977.tif 000003
【図２】
2006316977.tif 000004
【図３】
2006316977.tif 000005
【図４】
2006316977.tif 000006
【図５】
2006316977.tif 000007
【図６】
2006316977.tif 000008
【図７】
2006316977.tif 000009
【図８】
2006316977.tif 000010
【図９】
2006316977.tif 000011
【図１０】
2006316977.tif 000012
【図１１】
2006316977.tif 000013
【図１２】
2006316977.tif 000014
【図１３】
2006316977.tif 000015
【図１４】
2006316977.tif 000016
【図１５】
2006316977.tif 000017
【図１６】
2006316977.tif 000018
【図１７】
2006316977.tif 000019
【図１８】
2006316977.tif 000020
【図１９】
2006316977.tif 000021
【図２０】
2006316977.tif 000022
【図２１】
2006316977.tif 000023
【図２２】
2006316977.tif 000024
【図２３】
2006316977.tif 000025
【図２４】
2006316977.tif 000026
【図２５】
2006316977.tif 000027
【図２６】
2006316977.tif 000028
【図２７】
2006316977.tif 000029
【図２８】
2006316977.tif 000030
【図２９】
2006316977.tif 000031
【図３０】
2006316977.tif 000032
【図３１】
2006316977.tif 000033
【図３２】
2006316977.tif 000034